(57)【要約】【課題】コントローラ基板の収納形態を改善することにより浴室暖房装置の小型を図り、さらに、コントローラ基板の温度上昇を抑制する。【解決手段】コントローラ基板を収容したコントローラケース１７にはスリット状をした放熱用孔２１が開口されている。浴室暖房装置のケーシング６の側面にも、スリット状をした放熱用孔２７が開口されている。コントローラ基板を収容したコントローラケース１７をケーシング６内に挿入してケーシング６に固定すると、コントローラケース１７の放熱用孔２１とケーシング６の放熱用孔２７が一致し、放熱用孔２１、２７どうしが連通する。【選択図】　　　図４
2004060904.tif 000002
【特許請求の範囲】
【請求項１】
浴室の空気を加熱するための加熱手段と、前記加熱手段によって加熱された空気を浴室内に吹き出させるための循環ファンとをケーシングに納めた浴室暖房装置において、
コントローラ基板をコントローラケース内に納め、当該コントローラケースを前記ケーシング内に納めて固定し、前記コントローラケースに設けた放熱用孔を前記ケーシングに設けた放熱用孔と一致させたことを特徴とする浴室暖房装置。
【請求項２】
前記コントローラケース及び前記ケーシングに設けた放熱用孔は、スリット状をしていることを特徴とする、請求項１に記載の浴室暖房装置。
【発明の詳細な説明】
【０００１】
【発明の属する技術分野】
本発明は、浴室暖房装置に関する。
【０００２】
【背景技術】
浴室暖房装置は、循環ファンモータの回転速度やオン・オフ、風向調整を行うモータのオン・オフ、タイマー機能等を制御するためのコントローラ基板を備えている。従来の浴室暖房装置にあっては、装置本体のケーシングの一部を仕切ってコントローラ収納室を一体に形成し、このコントローラ収納室にコントローラ基板を納めていた。
【０００３】
コントローラ基板は発熱するので、コントローラ収納室を小さくすると、その中に熱がこもって高温になる。そのためコントローラ収納室をあまり小さくすることができず、浴室暖房装置をコンパクト化する妨げになっていた。
【０００４】
本発明は上記の従来例の問題点に鑑みてなされたものであり、その目的とするところは、コントローラ基板の収納形態を改善することにより浴室暖房装置の小型を図り、さらに、コントローラ基板の温度上昇を抑制することにある。
【０００５】
【発明の開示】
本発明の請求項１にかかる浴室暖房装置は、浴室の空気を加熱するための加熱手段と、前記加熱手段によって加熱された空気を浴室内に吹き出させるための循環ファンとをケーシングに納めた浴室暖房装置において、コントローラ基板をコントローラケース内に納め、当該コントローラケースを前記ケーシング内に納めて固定し、前記コントローラケースに設けた放熱用孔を前記ケーシングに設けた放熱用孔と一致させたことを特徴としている。ここでいう加熱手段は、特に限定されるものではなく、例えば、温水と熱交換させることによって浴室の空気を加熱する熱交換器でもよく、発熱によって浴室の空気を加熱する電気ヒータでもよい。
【０００６】
コントローラ基板を納めるための空間に余裕がないと、配線などの電装部品が装着されたコントローラ基板を直接ケーシング内の狭い空間に挿入することは困難であるが、請求項１の浴室暖房装置にあっては、コントローラ基板をコントローラケースに納めたものをケーシング内の空間に納めているので、ケーシング内の狭い空間にもコントローラケースに納められたコントローラ基板をスムーズ差し込むことができる。特に、コントローラ基板がコントローラケースに納められているので、コントローラ基板をケーシング基板に差し込むときに、コントローラ基板の表面に実装されている電子部品が破損したり、断線したりする恐れがない。よって、コントローラ基板を納めるためのスペースを最小化することが可能になり、ひいては浴室暖房装置の小型化を図ることができる。
【０００７】
さらに、この浴室暖房装置においては、コントローラ基板を納めたコントローラケースをケーシングに納めて固定したときに、コントローラケースに設けられた放熱用孔がケーシングに設けられた放熱用孔と一致するので、コントローラ基板で発生した熱は両放熱用孔を通じて浴室暖房装置の外部へ排出され、こもった熱でコントローラ基板が高温になるのを防止することができる。
【０００８】
また、本発明の請求項２に記載された浴室暖房装置における前記コントローラケース及び前記ケーシングに設けた放熱用孔は、スリット状に開口されているので、放熱用孔から虫やゴミなどが侵入するのを防止することができる。
【０００９】
【発明の実施の形態】
図１（ａ）は本発明の一実施形態による天井取付け型の浴室暖房装置の構造を示す概略断面図、図１（ｂ）は図１（ａ）のＸ−Ｘ線断面図である。浴室暖房装置１は、装置本体２と化粧パネル３とから構成されている。装置本体２は天井裏へ納入され、吊りボルト（図示せず）等によって天井裏で吊り下げられる。装置本体２の下面に対向して開口された天井パネル４の開口５の下には、化粧パネル３が着脱自在に取付けられる。
【００１０】
装置本体２においては、下面開口した箱状のケーシング６内にクロスフローファンからなる循環ファン７が納められ、循環ファン７の回転軸には、循環ファンモータ８が接続されている。循環ファンモータ８は、その軸受け部分８ａをケーシング６内の循環ファンモータ受け９ａで保持されている。また、循環ファン７のエア吸入側には２面の熱交換器１０が設置されており、循環ファン７のエア吹き出し側には温風吹出し通路１１が設けられている。
【００１１】
化粧パネル３には、グリル状をした吸込口１２と吹出口１３とが設けられ、吸込口１２は循環ファン７のエア吸い込み側に対向するように配置され、吹出口１３は装置本体２の温風吹出し通路１１の下端に位置している。また、吸込口１２の上面には面状のフィルタ１４が配設されている。
【００１２】
しかして、循環ファンモータ８により循環ファン７を回転させると、化粧パネル３の吸込口１２から装置本体２内へ浴室内の空気が吸い込まれ、吸い込まれた空気は熱交換器１０を通過する。熱交換器１０には、熱源機（図示せず）で加熱された温水が循環しており、循環ファン７により吸い込まれた空気が熱交換器１０を通過すると、温水と熱交換することによって加熱される。加熱された温風は、循環ファン７によって送り出され、温風吹出し通路１１を通って吹出口１３から吹き出される。
【００１３】
よって、冬季の入浴時または入浴前においては、吹出口１３から例えば斜め下方へ温風を吹き出すことによって、浴室内の暖房を行うことができる。また、吹出口１３の真下に衣類を吊り下げておき、吹出口１３から真下に向けて温風を吹き出すことにより、浴室内を衣類乾燥室として使用することができる。
【００１４】
図１（ｂ）に示すように、ケーシング６内の上部には、上面が開口した換気通路部品９ｂが取付けられており、換気通路部品９ｂの上面をケーシング６の内面で塞ぐことにより換気通路部品９ｂとケーシング６内面との間に換気通路１６が形成されている。この換気通路１６の一端は、ケーシング６の背面に設けられた排出口（図示せず）に接続されている。また、換気通路部品９ｂの下には、循環ファンモータ８が配設されており、循環ファンモータ８は、換気通路部品９ｂと一体に形成された循環ファンモータ受け９ａにその軸受け部分８ａを嵌めて保持されている。
【００１５】
図２は装置本体２を具体的に表した下面図である。前記換気通路１６を構成する換気通路部品９ｂの他端には、換気装置１５が接続されており、換気装置１５内のシロッコファンを回転させると、換気通路１６を通じて浴室内の湿気を含んだ空気が排出口から浴室暖房装置１の外部へ排出され、さらに排気ダクト（図示せず）等を通じて外部へ排出される。
【００１６】
また、循環ファンモータ８とケーシング６の側壁との間には隙間が形成されており、この隙間にはコントローラケース１７が差し込まれている。図３はコントローラケース１７の構造を示す概略分解斜視図である。コントローラケース１７は、ベース１８とカバー１９とからなり、内部にはコントローラ基板２０が収容されている。ベース１８の底面にはスリット状をした長い放熱用孔２１が貫通しており、コントローラ基板２０で発生した熱は、この放熱用孔２１からコントローラケース１７の外部へ放出される。コントローラ基板２０には、マイコンやＩＣ、その他の電子部品が実装されている。トランス２９は、他の電子部品等と比較して背が高いので、カバー１９の上部にはトランス２９を収容するための膨出部３０が設けられており、膨出部３０の内面にトランス２９をネジ止めしている。また、カバー１９の一方の端にはロック用孔２２を備えた弾性片２３が延出されており、ベース１８の一方端面にはロック用突起２４が突設されている。カバー１９の他方の端には係合爪３５が設けられており、ベース１８の他方の端の内面には係合爪３５を引っかけるための貫通孔３３が設けられている。しかして、ベース１８内にコントローラ基板２０を納めた後、ベース１８にカバー１９を被せ、カバー１９の係合爪３５をベース１８の貫通孔３３に引っ掛け、ロック用孔２２内にロック用突起２４をはまり込ませることによりカバー１９がベース１８に取付けられる。また、ベース１８の一方側面には通孔２５のあいた固定用片２６が突設されている。さらに、図３には示されていないが、膨出部３０の側面には、コントローラ基板２０のコネクタ３６に接続されているコード３１を外部へ引き出すためのコード引出し孔３２が設けられている。
【００１７】
図４、図５は上記ベース１８の詳細な正面図、裏面図、図６（ａ）（ｂ）はベース１８の左側面図及び右側面図、図７（ａ）（ｂ）はベース１８の上面図及び下面図である。図４に示すように、箱状をしたベース１８の内部には、コントローラ基板２０を浮かせた状態で取付けるための支持ピン３４が複数本立設されており、この支持ピン３４の先端にコントローラ基板２０を取付けることでコントローラ基板２０が支持される。また、図４及び図７（ａ）（ｂ）に示すように、ベース１８の一方側面には、通孔２５のあいた固定用片２６が突設されている。さらに、ベース１８の下面の内壁面には、図３に示したような貫通孔３３が形成され、ベース１８の上面には図６（ａ）（ｂ）、図７（ａ）に示すようにロック用突起２４が突設されている。
【００１８】
図８、図９は上記カバー１９の正面図、裏面図、図１０（ａ）（ｂ）はカバー１９の左側面図及び右側面図、図１１（ａ）（ｂ）はカバー１９の上面図及び下面図である。カバー１９は下部で厚みが薄くなっており、上部へ行くほど階段状に厚みが大きくなっていて上部に膨出部３０が形成されている。この膨出部３０の側面には、コード３１を引き出すためのコード引出し孔３２が開口している。また、図１１（ａ）（ｂ）に示すように、カバー１９の上端部にはロック用孔２２を備えた弾性片２３が延出されており、カバー１９の下端部には前記係合爪３５が設けられている。
【００１９】
図１２はコントローラケース１７を差し込むための隙間が形成されている側の側面から見たケーシング６とコントローラケース１７を示す図である。コントローラケース１７を差し込むための隙間が形成されている箇所で、ケーシング６の壁面にはスリット状の放熱用孔２７が開口されている。しかして、図２に示すように、循環ファンモータ８とケーシング６との間の所定位置にコントローラケース１７を挿入し、固定用片２６の通孔２５に通したビス２８をケーシング６にネジ止めすると、コントローラケース１７は、放熱用孔２１の開口している外面をケーシング６の内面に密着させられた状態でケーシング６に固定される。
【００２０】
コントローラケース１７がケーシング６に固定された状態においては、コントローラケース１７の放熱用孔２１とケーシング６の放熱用孔２７とが一致して放熱用孔２１、２７どうしが連通し、コントローラ基板２０で発生した熱は、コントローラケース１７の放熱用孔２１とケーシング６の放熱用孔２７を通して外部へ放熱される。一方、この放熱用孔２１、２７はいずれもスリット状をしているので、放熱用孔２１、２７からコントローラケース１７内に虫やゴミが侵入しにくくなっている。また、放熱用孔２１、２７は装置本体２の外面に開口しており、その他の箇所ではコントローラ基板２０はコントローラケース１７によって封止されているので、コントローラケース１７内に浴室の湿気による結露が溜まることがない。
【００２１】
【発明の効果】
本発明の浴室暖房装置によれば、コントローラ基板をコントローラケースに納めたものをケーシング内の空間に納めているので、ケーシング内の狭い空間にもコントローラケースに納められたコントローラ基板をスムーズに差し込むことができる。特に、コントローラ基板がコントローラケースに納められているので、コントローラ基板をケーシング基板に差し込むときに、コントローラ基板の表面に実装されている電子部品が破損したり、断線したりする恐れがない。よって、コントローラ基板を納めるためのスペースを最小化することが可能になり、ひいては浴室暖房装置の小型化を図ることができる。
【００２２】
また、この浴室暖房装置においては、コントローラ基板を納めたコントローラケースをケーシングに納めて固定したときに、コントローラケースに設けられた放熱用孔がケーシングに設けられた放熱用孔と一致するので、コントローラ基板で発生した熱は両放熱用孔を通じて浴室暖房装置の外部へ排出され、こもった熱でコントローラ基板が高温になるのを防止することができる。
【図面の簡単な説明】
【図１】（ａ）は本発明の一実施形態による天井取付け型の浴室暖房装置の構造を示す概略断面図、（ｂ）は（ａ）のＸ−Ｘ線断面図である。
【図２】同上の浴室暖房装置を構成する装置本体を具体的に表した下面図である。
【図３】コントローラケースの構造を示す分解斜視図である。
【図４】ベースの詳細な正面図である。
【図５】上記ベースの詳細な裏面図である。
【図６】（ａ）（ｂ）は上記ベースの詳細な左側面図及び右側面図である。
【図７】（ａ）（ｂ）は上記ベースの詳細な上面図及び下面図である。
【図８】カバーの詳細な正面図である。
【図９】上記カバーの詳細な裏面図である。
【図１０】（ａ）（ｂ）は上記カバーの詳細な左側面図及び右側面図である。
【図１１】（ａ）（ｂ）は上記カバーの詳細な上面図及び下面図である。
【図１２】装置本体とコントローラケースの側面図である。
【符号の説明】
６　　　ケーシング
７　　　循環ファン
８　　　循環ファンモータ
１７　　　コントローラケース
１８　　　ベース
１９　　　カバー
２０　　　コントローラ基板
２１　　　放熱用孔
２７　　　放熱用孔
【図１】
2004060904.tif 000003
【図２】
2004060904.tif 000004
【図３】
2004060904.tif 000005
【図４】
2004060904.tif 000006
【図５】
2004060904.tif 000007
【図６】
2004060904.tif 000008
【図７】
2004060904.tif 000009
【図８】
2004060904.tif 000010
【図９】
2004060904.tif 000011
【図１０】
2004060904.tif 000012
【図１１】
2004060904.tif 000013
【図１２】
2004060904.tif 000014